(57)【要約】      （修正有）【課題】スマートフォンの端子差込部に端子を差し込んで接続する電気ケーブルの先端部分を保護する保護カバーを提供する。【解決手段】保護カバー１は、カバー本体７と、カバー本体７の縦方向の先端７ａから基端７ｂにかけて貫通してなる縦孔３と、カバー本体７の横方向の一端７ｃから他端７ｄにかけて貫通してなる横孔５と、を備えている。カバー本体７は、縦孔３の背面側において、カバー本体７の背部の先端７ａから基端７ｂにかけて、細い縦の切れ目３ｄが形成され、横孔５の背面側において、カバー本体７の背部の一端７ｃから他端７ｄにかけて、細い横の切れ目５ｄが形成されている。縦孔３は先端７ａから中央部７ｇにかけて大径３ａに形成され、中央部７ｇから基端７ｂにかけて小径３ｂに形成されている。横孔５は一端７ｃから中央部７ｈにかけて大径５ａに形成され、中央部７ｈから他端７ｄにかけて小径５ｂに形成されている。【選択図】図４
0003216949.tif 000002
【実用新案登録請求の範囲】
【請求項１】
携帯型情報端末機器に設けられた端子差込部に先端を接続することができる電気ケーブルの先端部分を保護する保護カバーであって、
弾性体によって構成されてなるカバー本体と、
前記カバー本体の縦方向の先端から基端にかけて貫通してなる縦孔と、
前記縦孔と連通して交差し、前記カバー本体の横方向の一端から他端にかけて貫通してなる横孔と、を備え、
前記縦孔の背面側において、前記カバー本体の背部の先端から基端にかけて、細い縦の切れ目が形成されてなることにより、前記カバー本体の背部が左右に分離されてなり、
前記横孔の背面側において、前記カバー本体の背部の一端から他端にかけて、細い横の切れ目が形成されてなることにより、前記カバー本体の背部が上下に分離されてなり、
前記縦孔は、前記先端から中央部にかけて大径に形成され、かつ前記中央部から前記基端にかけて小径に形成されるとともに、前記中央部において、段付き形状が形成されてなり、
前記横孔は、前記一端から中央部にかけて大径に形成され、かつ前記中央部から前記他端にかけて小径に形成されるとともに、前記中央部において、段付き形状が形成されてなる、
ことを特徴とする保護カバー。
【請求項２】
前記カバー本体の外形がキャラクターを模した形状に形成されてなる、
ことを特徴とする請求項１に記載の保護カバー。
【考案の詳細な説明】
【技術分野】
【０００１】
本考案は、スマートフォン等の携帯型情報端末機器に設けられた端子差込部に接続して使用される電気ケーブルの先端部分を保護する保護カバーに関する。
【背景技術】
【０００２】
近年、スマートフォンの飛躍的な増加に伴って、特に、若年層における利用時間の増加が著しく、スマートフォンに内蔵された充電池の消費量が多くなることから、使用中の電池切れを防ぐために、たびたび充電しなければならないような状況となっている。
【０００３】
たとえば、スマートフォンを充電する場合、ＰＣ（パーソナルコンピュータ）、或いは充電器等から電気ケーブルを介して、電気ケーブルの先端部分のコネクタをスマートフォンの端子差込部に差し込むことにより充電が行われている。
【考案の概要】
【考案が解決しようとする課題】
【０００４】
しかし、充電をたびたび繰り返す内に、電気ケーブルの先端部分のコネクタとコードとの接合部分において、コードが頻繁に折り曲げられることにより疲労断線に至るという課題があった。
【０００５】
また、電気ケーブルの先端部分のコネクタのつまみ部分が小さいために、特に、手指が大きい使用者には、小さなつまみ部分が掴みにくく、スマートフォンの端子差込部に電気ケーブルの先端部分のコネクタを差し込むことに不便を感じるという課題もあった。
【課題を解決するための手段】
【０００６】
そこで、前記課題を解決するための手段として本考案に係る保護カバーは、携帯型情報端末機器に設けられた端子差込部に先端を接続することができる電気ケーブルの先端部分を保護する保護カバーであって、弾性体によって構成されてなるカバー本体と、前記カバー本体の縦方向の先端から基端にかけて貫通してなる縦孔と、前記縦孔と連通して交差し、前記カバー本体の横方向の一端から他端にかけて貫通してなる横孔と、を備え、前記縦孔の背面側において、前記カバー本体の背部の先端から基端にかけて、細い縦の切れ目が形成されてなることにより、前記カバー本体の背部が左右に分離されてなり、前記横孔の背面側において、前記カバー本体の背部の一端から他端にかけて、細い横の切れ目が形成されてなることにより、前記カバー本体の背部が上下に分離されてなり、前記縦孔は、前記先端から中央部にかけて大径に形成され、かつ前記中央部から前記基端にかけて小径に形成されるとともに、前記中央部において、段付き形状が形成されてなり、前記横孔は、前記一端から中央部にかけて大径に形成され、かつ前記中央部から前記他端にかけて小径に形成されるとともに、前記中央部において、段付き形状が形成されてなる、ことを特徴としている。
【０００７】
前記電気ケーブルの先端部分とは、前記電気ケーブルの先端のコネクタ、前記コネクタとコードとの接合部分および接合された前記コードの一部を指している。
【０００８】
前記保護カバーは、前記カバー本体が、弾性体によって構成されてなるので、前記保護カバーを縦方向で使用する際には、前記縦の切れ目を手で広げることにより、前記カバー本体の背面側から前記縦孔に前記コードを差し込むことができる。弾性体によって構成されてなるカバー本体の素材には、合成樹脂またはゴムを使用することができる。
【０００９】
次に、前記コードを差し込んだ状態で手を離すと、前記カバー本体が弾性体で構成されてなるので、その弾力性によって前記縦の切れ目が元の閉じた状態に戻ることにより、前記コードを前記カバー本体に形成された前記縦孔で挟装することができる。
【００１０】
さらに、前記コードが挟装された状態で、前記カバー本体を固定して前記コードを前記基端方向に引っ張り、前記コードよりも幅広の前記コネクタを前記縦孔内に引き入れて、前記コネクタと前記コードとの接合部分が前記段付き形状に当接することにより、前記コネクタの端子を前記縦孔の前記先端側から突出させるとともに、前記コードを前記縦孔の前記基端側から引き出せる構成としてなるので、前記電気ケーブルの先端部分を前記保護カバーで確実に覆うことができる。
【００１１】
一方、前記保護カバーを横方向で使用する際には、前記横の切れ目を手で広げることにより、前記カバー本体の背面側から前記横孔に前記コードを差し込むことができる。
【００１２】
次に、前記コードを差し込んだ状態で手を離すと、前記カバー本体が弾性体で構成されてなるので、その弾力性によって前記横の切れ目が元の閉じた状態に戻ることにより、前記コードを前記カバー本体に形成された前記横孔で挟装することができる。
【００１３】
さらに、前記コードが挟装された状態で、前記カバー本体を固定して前記コードを前記他端方向に引っ張り、前記コードよりも幅広の前記コネクタを前記横孔内に引き入れて、前記コネクタと前記コードとの接合部分が前記段付き形状に当接することにより、前記コネクタの端子を前記横孔の前記一端側から突出させるとともに、前記コードを前記横孔の前記他端側から引き出せる構成としてなるので、前記電気ケーブルの先端部分を前記保護カバーで確実に覆うことができる。
【００１４】
前記縦孔を構成する前記大径および前記横孔を構成する前記大径は、前記コネクタを挿通してフィットできるように、前記コネクタの断面形状に合わせて、長円形、若しくはそれに準じた形状になっていることが好ましく、同様に、前記縦孔を構成する前記小径および前記横孔を構成する前記小径も、前記コードの断面形状に合わせて、円形になっていることが好ましい。
【００１５】
前記縦孔および前記横孔の構成のように、前記縦孔および前記横孔を前記コネクタおよび前記コードの断面形状に合わせた形状に形成されてなるので、前記カバー本体の前後の厚みを薄く形成できることにより、前記カバー本体の小型化が可能となって、軽くて、かつ掴み易い前記保護カバーを形成することができる。
【００１６】
このようにしてなる前記保護カバーは、前記電気ケーブルの先端部分に前記保護カバーを取り付けた状態で使用者が前記保護カバーを掴んで、前記コネクタの端子を前記携帯型情報端末機器に設けられた端子差込部に簡単に差し込むことができるとともに、前記保護カバーで前記電気ケーブルの先端部分を覆っているので、前記コネクタと前記コードとの接合部分の折り曲げを未然に防止することができる。
【００１７】
また、前記カバー本体の外形がキャラクターを模した形状に形成されてなることとしても好ましい。キャラクター以外のバリエーションとして、犬、ネコ、ウサギ、或いは動物以外であっても良く、それらのデザインにより、前記保護カバーに親近感を醸し出すことができる。
【００１８】
なお、前記カバー本体の外形がキャラクターを模した形状および配色にする場合、キャラクターが発するセリフを表す文字を雲形イラスト等で表現することとしても好ましい。
【考案の効果】
【００１９】
本考案の保護カバーによれば、カバー本体の縦孔および横孔に段付き形状が形成されてなるので、電気ケーブルの先端部分に保護カバーを取り付けた状態において、電気ケーブルのコネクタとコードとの接合部分が段付き形状に当接することにより、コネクタとコードとの接合部分を確実に保護できる。
【００２０】
また、使用者がその日の気分に応じて、カバー本体を縦方向と横方向に使い分けができる二通りの装着が可能な保護カバーを提供することができる。
【００２１】
また、電気ケーブルの先端部分を覆って保護することにより、コネクタとコードとの接合部分におけるコードの折り曲げがなくなるので、接合部分のコードの疲労断線が解消される。
【００２２】
また、カバー本体に弾力性があるので、縦方向に装着した際の基端側または横方向に装着した際の他端側から引き出されるコードの折り曲げに対しても疲労断線が大幅に改善される。
【００２３】
また、スマートフォン等の携帯型情報端末機器を充電する際に、電気ケーブルの先端部分のコネクタの小さなつまみ部分を掴むのではなく、電気ケーブルの先端部分に取り付けた掴み易い保護カバーを掴んで、スマートフォンの端子差込部に電気ケーブルのコネクタの端子を差し込むことができるので、手指が大きい使用者にとっても電気ケーブルを掴み易く、電気ケーブルの掴み損ねを防止することができる。
【００２４】
さらに、保護カバーは、外形がキャラクターを模した形状で形成されてなるので、使用者が親近感を感じる保護カバーを提供することができる。
【図面の簡単な説明】
【００２５】
【図１】本考案の保護カバーの一実施例を示し、保護カバー１の正面側から見た斜視図（ａ）および背面側から見た斜視図（ｂ）である。
【図２】本考案の保護カバーの一実施例を示し、保護カバー１の平面図（ａ）、正面図（ｂ）および底面図（ｃ）である。
【図３】本考案の保護カバーの一実施例を示し、保護カバー１の左側面図（ａ）、右側面図（ｂ）および背面図（ｃ）である。
【図４】本考案の保護カバーの一実施例を示し、図２（ａ）のＡ−Ａ断面図である。
【図５】本考案の保護カバーの一実施例を示し、図２（ａ）のＡ−Ａ拡大断面図であり、電気ケーブルＫの先端部分を縦孔３に装着した場合（ａ）と、電気ケーブルＫの先端部分を横孔５に装着した場合（ｂ）であって、縦孔３に装着した場合、コネクタ１５とコード１３との接合部分１１が段付き形状３ｃに、横孔５に装着した場合、コネクタ１５とコード１３との接合部分１１が段付き形状５ｃに、それぞれ当接している状態を示す参考図である。
【図６】本考案の保護カバーの使用方法の一例として、電気ケーブルＫの先端部分に保護カバー１を縦方向に装着する場合を示しており、保護カバー１の縦孔３に矢印方向から電気ケーブルＫのコード１３を差し込む方法を説明するために、保護カバー１と電気ケーブルＫを背面側から見た参考斜視図である。
【図７】図６の次の段階で、保護カバー１の縦孔３にコード１３を差し込んだ状態（ａ）から、電気ケーブルＫのコード１３を矢印方向に引っ張って、コネクタ１５とコード１３との接合部分１１が段付き形状３ｃに当接して、保護カバー１が電気ケーブルＫの先端部分に装着される状態（ｂ）を説明するための参考正面図である。
【図８】本考案の保護カバーの使用方法の一例として、電気ケーブルＫの先端部分に保護カバー１を横方向に装着する場合を示しており、保護カバー１の横孔５にコード１３を差し込んだ状態（ａ）から、電気ケーブルＫのコード１３を矢印方向に引っ張って、コネクタ１５とコード１３との接合部分１１が段付き形状５ｃに当接して、保護カバー１が電気ケーブルＫの先端部分に装着される状態（ｂ）を説明するための参考正面図である。
【図９】本考案の保護カバーの使用方法の一例として、電気ケーブルＫの先端部分に保護カバー１を縦方向に装着した状態を示しており、端子１７がカバー本体７から突出している状態の参考斜視図である。
【図１０】本考案の保護カバーの使用方法の一例として、電気ケーブルＫの先端部分に保護カバー１を縦方向に装着して、スマートフォンＳの端子差込部Ｔにコネクタ１５の端子１７を差し込んだ状態の参考正面図である。
【図１１】本考案の保護カバーの使用方法の一例として、電気ケーブルＫの先端部分に保護カバー１を横方向に装着した状態を示しており、端子１７がカバー本体７から突出している状態の参考斜視図（ａ）と、スマートフォンＳの端子差込部Ｔにコネクタ１５の端子１７を差し込んだ状態の参考正面図（ｂ）である。
【考案を実施するための形態】
【００２６】
以下、本考案に係る実施の形態について、図１乃至図１１を参照しながら詳しく説明する。
【００２７】
本考案の保護カバー１は、図１０および図１１（ｂ）に示すように、スマートフォンＳ等の携帯型情報端末機器に設けられた端子差込部Ｔに先端を接続することができる電気ケーブルＫの先端部分を保護する保護カバー１であって、図１乃至図４に示すように、弾性体によって構成されてなるカバー本体７と、カバー本体７の縦方向の先端７ａから基端７ｂにかけて貫通してなる縦孔３と、縦孔３と連通して交差し、カバー本体７の横方向の一端７ｃから他端７ｄにかけて貫通してなる横孔５と、を備えている。
【００２８】
カバー本体７は、図１（ｂ）および図３（ｃ）に示すように、縦孔３の背面側７ｅにおいて、カバー本体７の背部７ｆの先端７ａから基端７ｂにかけて、縦孔３を左右に開くための細い縦の切れ目３ｄが形成されてなることにより、カバー本体７の背部７ｆが左右に分離されている。
【００２９】
また、カバー本体７は、横孔５の背面側７ｅにおいて、カバー本体７の背部７ｆの一端７ｃから他端７ｄにかけて、横孔５を上下に開くための細い横の切れ目５ｄが形成されてなることにより、カバー本体７の背部７ｆが上下に分離されている。
【００３０】
縦孔３は、図４および図６に示すように、先端７ａから中央部７ｇにかけて大径３ａに形成され、かつ中央部７ｇから基端７ｂにかけて小径３ｂに形成されるとともに、中央部７ｇにおいて、段付き形状３ｃが形成されている。
【００３１】
また、縦孔３は、図６に示すように、先端７ａ側の縦孔３を構成する大径３ａが、コネクタ１５を挿通してフィットできるように、コネクタ１５のつまみ部分１５ａの断面形状に合わせて長円形になっているとともに、基端７ｂ側の縦孔３を構成する小径３ｂが、電気ケーブルＫのコード１３の断面形状に合わせて円形となっている。
【００３２】
横孔５は、図４および図６に示すように、一端７ｃから中央部７ｈにかけて大径５ａに形成され、かつ中央部７ｈから他端７ｄにかけて小径５ｂに形成されるとともに、中央部７ｈにおいて、段付き形状５ｃが形成されている。
【００３３】
また、横孔５は、図６に示すように、一端７ｃ側の横孔５を構成する大径５ａが、コネクタ１５を挿通してフィットできるように、コネクタ１５のつまみ部分１５ａの断面形状に合わせて長円形になっているとともに、他端７ｄ側の横孔５を構成する小径５ｂが、電気ケーブルＫのコード１３の断面形状に合わせて円形となっている。
【００３４】
また、縦孔３および横孔５は、図２（ａ）および図３（ａ）に示すように、縦孔３および横孔５がコネクタ１５およびコード１３の断面形状に合わせた形状に形成されてなるので、カバー本体７の前後の厚みを薄く形成できることにより、カバー本体７の小型化が可能となって、軽くて、かつ掴み易い保護カバー１を形成することができる。
【００３５】
弾性体によって構成されてなるカバー本体７の素材には、合成樹脂またはゴムを使用することができる。また、カバー本体７の外形が、図１（ａ）および図２（ｂ）に示すように、キャラクターを模した形状９に形成されていても好ましい。
【００３６】
電気ケーブルＫの先端部分とは、図６に示すように、電気ケーブルＫの先端のコネクタ１５、コネクタ１５とコード１３との接合部分１１および接合されたコード１３の一部を指している。
【００３７】
電気ケーブルＫの先端部分を縦孔３に装着した場合は、図５（ａ）に示すように、コネクタ１５とコード１３との接合部分１１が段付き形状３ｃに当接し、一方、電気ケーブルＫの先端部分を横孔５に装着した場合は、図５（ｂ）に示すように、コネクタ１５とコード１３との接合部分１１が段付き形状５ｃに当接することにより、縦孔３および横孔５におけるコネクタ１５の位置が決まって、電気ケーブルＫの先端部分を保護カバー１で覆うことができる。
【００３８】
このようにしてなる保護カバー１は、カバー本体７に弾力性があるので、保護カバー１を縦方向で使用する際は、使用者が縦の切れ目３ｄを手で広げて縦孔３を左右に開き（図示せず）、図６に示すように、縦孔３に電気ケーブルＫのコード１３をカバー本体７の背面側７ｅから矢印方向に簡単に差し込むことができる。
【００３９】
次に、コード１３を差し込んだ状態で手を離すと、図５（ａ）に示すように、縦の切れ目３ｄが元の閉じた状態に戻ることにより、カバー本体７の弾力性によってコード１３をカバー本体７に形成された縦孔３で挟装することができる。
【００４０】
さらに、コード１３が挟装された状態で、図７に示すように、手でカバー本体７を固定して電気ケーブルＫのコード１３を矢印方向（基端方向）に引っ張って、図５（ａ）に示すように、コネクタ１５とコード１３との接合部分１１が段付き形状３ｃに当接することにより、図９に示すように、電気ケーブルＫの先端部分に保護カバー１が縦方向で装着されることになる。
【００４１】
保護カバー１が縦方向で装着されることにより、図５（ａ）に示すように、コネクタ１５の一部を縦孔３の先端７ａ側から僅かに突出させることにより、図１０に示すように、コネクタ１５の端子１７をスマートフォンＳの端子差込部Ｔの奥まで確実に差し込むことができる。
【００４２】
一方、保護カバー１を横方向で使用する際は、使用者が横の切れ目５ｄを手で広げて横孔５を上下に開き（図示せず）、横孔５に電気ケーブルＫのコード１３をカバー本体７の背面側７ｅから簡単に差し込むことができる。
【００４３】
次に、コード１３を差し込んだ状態で手を離すと、図５（ｂ）に示すように、横の切れ目５ｄが元の閉じた状態に戻ることにより、カバー本体７の弾力性によってコード１３をカバー本体７に形成された横孔５で挟装することができる。
【００４４】
さらに、コード１３が挟装された状態で、図８に示すように、手でカバー本体７を固定して電気ケーブルＫのコード１３を矢印方向（他端方向）に引っ張って、図５（ｂ）に示すように、コネクタ１５とコード１３との接合部分１１が段付き形状５ｃに当接することにより、図１１（ａ）に示すように、電気ケーブルＫの先端部分に保護カバー１が横方向で装着されることになる。
【００４５】
保護カバー１が横方向で装着されることにより、図５（ｂ）に示すように、コネクタ１５の一部を横孔５の一端７ｃ側から僅かに突出させることにより、図１１（ｂ）に示すように、コネクタ１５の端子１７をスマートフォンＳの端子差込部Ｔの奥まで確実に差し込むことができる。
【００４６】
また、保護カバー１は、図１０および図１１（ｂ）に示すように、電気ケーブルＫの先端部分に縦方向もしくは横方向に装着された保護カバー１を軽く掴んで、スマートフォンＳの端子差込部Ｔに電気ケーブルＫの端子１７を簡単に差し込むことができる。なお、コネクタ１９をＰＣ（パーソナルコンピュータ）のＵＳＢポート（図示せず）に差し込むことにより充電が開始されることになる。
【００４７】
このように本考案の保護カバー１によれば、保護カバー１で電気ケーブルＫの接合部分１１を覆って保護するので、接合部分１１におけるコード１３の疲労断線を解消することができる。また、手指が大きい使用者にとっても、保護カバー１を手で簡単に掴むことができることにより、端子差込部Ｔに端子１７を差し込むことに不便を感じることがなくなるとともに、縦方向と横方向の二通りの使い分けができるという使い勝手の良い保護カバー１を提供することができる。
【符号の説明】
【００４８】
１    保護カバー
３    縦孔
３ａ    大径
３ｂ    小径
３ｃ    段付き形状
３ｄ    縦の切れ目
５    横孔
５ａ    大径
５ｂ    小径
５ｃ    段付き形状
５ｄ    横の切れ目
７    カバー本体
７ａ    先端
７ｂ    基端
７ｃ    一端
７ｄ    他端
７ｅ    背面側
７ｆ    背部
７ｇ    中央部
７ｈ    中央部
９    キャラクターを模した形状
１１    接合部分
１３    コード
１５    コネクタ
１５ａ    つまみ部分
１７    端子
１９    コネクタ
Ｋ    電気ケーブル
Ｓ    スマートフォン
Ｔ    端子差込部
【図１】
0003216949.tif 000003
【図２】
0003216949.tif 000004
【図３】
0003216949.tif 000005
【図４】
0003216949.tif 000006
【図５】
0003216949.tif 000007
【図６】
0003216949.tif 000008
【図７】
0003216949.tif 000009
【図８】
0003216949.tif 000010
【図９】
0003216949.tif 000011
【図１０】
0003216949.tif 000012
【図１１】
0003216949.tif 000013